(57)【特許請求の範囲】
【請求項１】
それぞれに貫通孔を有した珠部材の表面にＤＬＣ皮膜を形成する磁気健康品の製造方法であって、
上記珠部材は、永久磁石体またはＤＬＣ皮膜形成後に着磁される磁石材料よりなり、
複数の珠部材同士を、相互に接触しないように間隙を隔てて導電性線体に貫通保持させた導電性の連結体を準備し、
この導電性の連結体を、ターゲット基材として、プラズマイオン注入装置のチャンバー内に収容した後、所定の元素イオンを発生させて、上記珠部材のそれぞれに注入させることでＤＬＣ皮膜を形成することを特徴とする磁気健康品の製造方法。
【請求項２】
請求項１において、
上記導電性線体は、該導電性線体の一部を折り曲げたこぶ部を形成して、隣接する珠部材との間隙を保持して、接触を阻止する構造となっている磁気健康品の製造方法。
【請求項３】
請求項１において、
上記導電性線体は、該導電性線体の一部に非導電性素材をこぶ状に付着させて、隣接する珠部材との間隙を保持して、接触を阻止する構造となっている磁気健康品の製造方法。
【請求項４】
請求項１において、
上記導電性線体は、上記珠部材の貫通孔に接触させる突起を対応して設けた導電性芯材に、該突起を除く部分に絶縁膜を被覆させた構造となっており、上記珠部材を貫通させた後は、上記突起を熱膨張させて、珠部材同士の接触と導電性線体からの脱落を阻止する構造となっている磁気健康品の製造方法。
【請求項５】
請求項１または２において、
上記所定の元素イオンには水素を含有している、磁気健康品の製造方法。
【請求項６】
請求項１または２において、
上記所定の元素イオンにはフッ素を含有している、磁気健康品の製造方法。
【請求項７】
請求項１〜６のいずれかの製造方法で製造された磁気健康品に連結紐を貫通させて、数珠様に連結して構成される磁気健康装身具。
【請求項８】
請求項７において、
貫通孔を有した結晶構造の炭素焼成体がさらに上記連結紐で連結されている磁気健康装身具。
【発明の詳細な説明】
【技術分野】
【０００１】
本発明は、珠部材の表面にＤＬＣ皮膜を形成する磁気健康品の製造方法、および、その製造方法で製造された磁気健康装身具に関する。
【背景技術】
【０００２】
近時において、磁力による健康増進を目的として、永久磁石体を数珠様に連結した磁気ネックレス等の磁気健康装身具が使用されている（例えば、特許文献１参照）。
【０００３】
一方、本出願人は炭素材による遠赤外線効果に着目して、炭素材による健康装身具を提案しており（特許文献２参照）、さらに永久磁石体の表面に炭素皮膜を形成した健康装身具の開発を目指して種々試行している。
【０００４】
また近年では、ＤＬＣ（ダイヤモンド・ライク・カーボン）成膜法により、基材の表面にダイヤモンドに似た炭素皮膜を形成させる技術が種々提案されているが、この技術を利用すれば、永久磁石体の表面に炭素皮膜を形成して、硬度が高く、耐摩耗性にすぐれた磁気健康装身具を製造することも可能である。また、球体等の立体的な基材の表面に隈なく皮膜を形成する場合にこの方法を使用すれば、特に効果的である。
【先行技術文献】
【特許文献】
【０００５】
【特許文献１】特開２００５−８７４０４号公報
【特許文献２】特許３５５５９２８号公報
【発明の概要】
【発明が解決しようとする課題】
【０００６】
しかしながら、磁気ネックレス等の磁気健康装身具は複数の永久磁石体を数珠様に連結したものであるから、球体等の永久磁石体の１つずつに対して個別にＤＬＣ皮膜を形成していては生産性の高い製造は行えない。また、１つずつ皮膜形成すれば、磁気健康装身具を構成する個々の磁気健康品のＤＬＣ皮膜に製造ばらつきが生じるおそれもある。永久磁石体を数珠様に連結した状態にしてＤＬＣ皮膜形成処理をすれば、同時に複数の永久磁石体に皮膜形成が行えても、永久磁石体同士が接触して、ムラを生じ、均一なＤＬＣ皮膜を形成することはできない。
【０００７】
本発明は、このような事情を考慮して提案されたもので、その目的は、磁気健康装身具を構成する磁気健康品の生産効率を向上でき、磁気健康品の表面に形成されたＤＬＣ皮膜に製造ばらつきが発生することがない磁気健康品の製造方法およびその方法を用いて製造された磁気健康装身具を提供することにある。
【課題を解決するための手段】
【０００８】
上記目的を達成するために、提案される本発明の磁気健康品の製造方法は、それぞれに貫通孔を有した珠部材の表面にＤＬＣ皮膜を形成する磁気健康品の製造方法であって、珠部材は、永久磁石体またはＤＬＣ皮膜形成後に着磁される磁石材料よりなり、複数の珠部材同士を、相互に接触しないように間隙を隔てて導電性線体に貫通保持させた導電性の連結体を準備し、この導電性の連結体を、ターゲット基材として、プラズマイオン注入装置のチャンバー内に収容した後、所定の元素イオンを発生させて、珠部材のそれぞれに注入させることでＤＬＣ皮膜を形成することを特徴とする。
【０００９】
請求項２では、導電性線体は、導電性線体の一部を折り曲げたこぶ部を形成することで、隣接する珠部材との間隙を保持して、ＤＬＣ皮膜の形成時に相互の接触を阻止する構造となっている。
【００１０】
請求項３では、導電性線体は、導電性線体の一部に非導電性素材をこぶ状に付着させることで、隣接する珠部材との間隙を保持して、ＤＬＣ皮膜の形成時に相互の接触を阻止する構造となっている。
【００１１】
請求項４では、導電性線体は、珠部材の貫通孔に接触させる突起を対応して設けた導電性芯材に、該突起を除く部分に絶縁膜を被覆させた構造となっており、珠部材を貫通させた後は、突起を熱膨張させることで、珠部材同士の接触と導電性線体からの脱落を阻止する構造となってている。
【００１２】
請求項５では、ＤＬＣ皮膜の形成に注入する元素イオンに水素を含有させている。
【００１３】
請求項６では、ＤＬＣ皮膜の形成に注入する元素イオンにはフッ素を含有させている。
【００１４】
請求項７に記載の磁気健康装身具は、請求項１〜６のいずれかの製造方法で製造された磁気健康品に連結紐を貫通させて、数珠様に連結して構成されている。
【００１５】
請求項８に記載の磁気健康装身具は、貫通孔を有した結晶構造の炭素焼成体がさらに加えられて、上記連結紐で連結されている。
【発明の効果】
【００１６】
本発明の磁気健康品の製造方法によれば、複数の珠部材を導電性線体に貫通保持させた導電性の連結体を、プラズマイオン注入装置のチャンバーに収容させて、その連結体にＤＬＣ皮膜を形成する構成であるため、珠部材間でＤＬＣ皮膜の形成にばらつきのない磁気健康品を迅速かつ効率的に製造できる。また、複数の珠部材同士を相互に接触しないように間隙を隔てた状態に保持しているので、各珠部材の表面全体に均一なＤＬＣ皮膜を形成できる。
【００１７】
特に、導電性線体の一部を折り曲げたこぶ部を形成して、隣接する珠部材との間隙を保持するようにしたものでは、珠部材間の導電性線体を折り曲げるだけで連結体を形成でき、そのため手作業あるいは簡易な治具などで簡易かつ迅速に連結体を準備できる。
【００１８】
特に、導電性線体の一部に非導電性素材をこぶ状に付着させて、隣接する珠部材との間隙を保持するようにしたものでは、非導電性素材のこぶ部にはＤＬＣ皮膜が形成されず、そのためＤＬＣ処理後に、非導電性素材を熱や薬品によって除去すれば導電性線体を再利用することができる。
【００１９】
特に、導電性線体に設けた突起を熱膨張させて珠部材の相互の接触と、導電性線体からの脱落を阻止する構造にしたものでは、導電性線体の珠部材への貫通、導電性線体の加熱による突起の珠部材への係止等のＤＬＣ前処理、および、導電性線体の冷却による珠部材の取り外し等のＤＬＣ後処理が機械的にかつ迅速に行える。
【００２０】
ＤＬＣ皮膜の形成に水素を含有させた元素イオンを注入するものでは、ＤＬＣ皮膜を光沢のある黒色にでき、磁気健康品に重厚感を持たせることができる。
【００２１】
ＤＬＣ皮膜の形成にフッ素を含有させた元素イオンを注入するものでは磁気健康品の表面を光沢のある玉虫色にでき、神秘な感じをかもし出すことができる。
【００２２】
本発明の磁気健康装身具によれば、本発明方法で製造された磁気健康品に連結紐を貫通させて数珠様に連結して構成されているので、硬度が高く、すべりが良く、光沢があり、耐摩耗性にすぐれた磁気健康装身具を形成できる。さらに、磁気健康装身具は肌に直接触れるため、ＤＬＣ皮膜による遠赤外線効果を期待でき、また磁石が直接肌に触れないので、磁石アレルギーによる肌荒れのおそれもない。
【００２３】
特に、貫通孔を有した結晶構造の炭素焼成体がさらに付加され、同一の連結紐で連結されたものでは、炭素焼成体による遠赤外線効果等を強めることができる。
【図面の簡単な説明】
【００２４】
【図１】本発明の第１実施形態の磁気健康品の製造方法で使用する治具の斜視図である。
【図２】（ａ）〜（ｃ）は同治具による磁気健康品の製造方法の手順説明図である。
【図３】第１実施形態の他例を示す説明図である。
【図４】プラズマイオン注入装置の一例を示す説明図である。
【図５】製造された磁気健康品を使用した磁気健康装身具の概略平面図である。
【図６】（ａ）、（ｂ）は本発明の磁気健康品の製造方法のさらに他の実施形態を示す手順説明図である。
【図７】（ａ）〜（ｃ）は本発明の磁気健康品の製造方法のさらに他の実施形態を示す手順説明図である。
【図８】（ａ）〜（ｃ）は永久磁石体の形状の他例を示す図である。
【発明を実施するための形態】
【００２５】
以下に、本発明の実施の形態について、添付図面を参照しながら説明する。
【００２６】
以下には、プラズマイオン注入装置で、永久磁石体等よりなる珠部材の表面にＤＬＣ皮膜を形成するための準備工程の種々の形態を示しており、それらはいずれも、珠部材を相互に接触しないように間隙を隔てて針金状の導電性線体に貫通保持させて、プラズマイオン注入のターゲット基材となる連結体を形成する。なお以下では、珠部材として永久磁石体を使用する実施の形態について説明する。
【００２７】
また、永久磁石体としては、２０００ガウス以下のものが医療用、健康増進用として望ましく、好適に使用できる。導電性線体としては、銅、アルミ、銀などの柔軟な線材が使用できる。
【００２８】
図１は、第１実施形態で使用する治具の斜視図である。図２（ａ）〜（ｃ）は、その治具を用いて磁気健康品を製造する方法の手順説明図である。図３は第１実施形態の他例を示す図である。
【００２９】
図１に示した治具２０には、貫通孔１ａを有した球体の永久磁石体１が多数列に配列できるように、縦横に複数の凹所２１が形成してあり、横方向（図中の左右方向）に並んだ凹所２１の各間隙部分には縦方向に走る、こぶ部形成用のプレス溝２２が形成されている。
【００３０】
まず、この治具２０の凹所２１に、永久磁石体１を貫通孔１ａが一直線上に並ぶように横方向に配列し、それらの永久磁石体１の貫通孔１ａに導電性線体２を串刺し状に貫通させる（図１、図２（ａ）（ｂ）参照）。
【００３１】
次に、複数の突起２３ａを櫛歯状に下方に突出させたプレス型２３を治具２０に対して押し下げて、それらの突起２３ａと、治具２０のプレス溝２２とにより導電性線体２の一部を折り曲げてこぶ部１１を形成する（図２（ｂ）（ｃ）参照）。このこぶ部１１が隣接する永久磁石体１同士の接触を阻止する間隔保持のためのスペーサーを構成する。
【００３２】
こうして、全体として導電性を有した連結体１０が形成される。
【００３３】
このような方法によれば、導電性線体２を折り曲げて形成したこぶ部１１で隣接する永久磁石体１との間隙を保持する構成であるため、上記のような治具２０を使用することで簡易かつ迅速に連結体１０を形成できる。
【００３４】
また、このようなこぶ部１１は、少数の永久磁石体１を連ねた連結体を形成する場合には、治具２０等の道具、機械によらなくても、例えば図３に示すように手作業によって形成することもできる。
【００３５】
図３では、導電性線体２は、その一端を折り曲げるなどして、ストッパー部を形成してから、他端から永久磁石体を順次貫通させては、その一部を折り曲げてこぶ部を形成してスペーサー部としているが、このような方法に限定されないことことはいうまでもない。
【００３６】
かくして、このような方法で形成した連結体１０は、公知のプラズマイオン注入・成膜法によって、永久磁石体１の全表面にＤＬＣ皮膜が形成される。
【００３７】
図４は、ＤＬＣ皮膜を形成するためのプラズマイオン注入装置の一例を示す説明図である。
【００３８】
このプラズマイオン注入装置３０は、チャンバー３１と、このチャンバー３１内にガスを導入するガス導入装置３２と、チャンバー３１内を真空引きする真空装置３４と、チャンバー３１内の所定位置に配置されるターゲット基材（連結体１０）に接続する導体３５に高電圧パルスを印加する高電圧パルス発生電源３６と、導体３５に高周波電力を印加し、ターゲット基材の周囲にプラズマを発生させるプラズマ発生用電源３７と、高電圧パルスおよび高周波電力の印加を１つの導体で共用するために、高電圧パルス発生電源３６およびプラズマ発生用電源３７と、導体３５との間に設けられた重畳装置３８とを備えている。
【００３９】
ガス導入装置３２および真空装置３３は、それぞれのバルブ３４、３４を介してチャンバー３１内に接続されている。また、導体３５はフィードスルー３９（高電圧導入部）を介して重畳装置３８に接続されている。
【００４０】
このように構成したプラズマイオン注入装置３０で永久磁石体１の表面にイオン注入を行うには、チャンバー３１内にターゲット基材である連結体１０を導体３５にフック等で接続した状態で吊り下げ収容し、真空装置３３でチャンバー３１内を真空引きするとともに、ガス導入装置３２でチャンバー３１内に炭化水素系のガスを導入する。炭化水素系のガスとしては、メタンガスが好適に使用できるが、他のアセチレンガス、プロパンガスなども使用できる。
【００４１】
プラズマ発生用電源３７は、高周波電力を連結体１０に印加し、連結体１０の周囲にプラズマを発生させ、その後、高電圧パルス発生電源３６から高電圧パルス（負の高圧パルス）を連結体１０に印加し、プラズマ中のイオンを連結体１０に誘引させる。
【００４２】
こうしてイオンが連結体１０に誘引されると、そのイオンに含まれる炭素原子が連結体１０にその表面から所定の深さまで注入され、それによってＤＬＣ皮膜が表面に形成される。
【００４３】
また、注入するイオンには水素、フッ素、銀を含んでもよい。そのために、これらの原子を含んだガスを使用してもよいし、水素ガス、フッ素ガスを含む混合ガスを使用してもよい。またアルゴンガスを含めてもよい。
【００４４】
ターゲット基材としてチャンバー３１内に配した連結体１０は、複数の永久磁石体１が相互に接触しないように間隔を空けて配置されているから、個々の永久磁石体１の全表面に均一にＤＬＣ皮膜を形成させることができる。
【００４５】
こうしてＤＬＣ皮膜を形成した連結体１０は、導電性線体２を切断するなどして永久磁石体１ごとに分離すれば、それらは磁気健康品として利用できる。
【００４６】
図５は、製造された磁気健康品を使用した磁気健康装身具の概略平面図である。この図に示すように例えば、複数の磁気健康品５の貫通孔１ａ（図２参照）に連結紐６を通すことで、磁気ネックレス、磁気ブレスレット等の磁気健康装身具７を形成することができる。
【００４７】
この磁気健康装身具７は、ＤＬＣ皮膜が形成された磁気健康品５で構成されているため、永久磁石による種々の効果にくわえて、ＤＬＣ皮膜による低摩擦性、高硬度、耐摩耗性、耐食性等を期待でき、肌に優しく、光沢があり、硬くて表面劣化のほとんどない磁気健康装身具７を提供することができる。また、永久磁石が直接肌に当たらないので、アレルギーのある人にも適している。さらに、ＤＬＣ皮膜により炭素による遠赤外線効果を得ることもできる。
【００４８】
また磁気健康装身具としては、上記磁気健康品５にくわえて、結晶構造の炭素焼成体（不図示）をさらに連結紐６で連結してもよく、その場合には、炭素焼成体による遠赤外線効果等を強めることができる。
【００４９】
炭素物質は、体温で温められる人間と同じ波長の遠赤外線を放射し、遠赤外線が体内の水分子に当たると水素と酸素が激しく衝突して（分子共振作用を起こして）運動エネルギーとなり、自己発熱となって深部温度が上昇するので、ＤＬＣ皮膜が形成された磁気健康品や炭素焼成体を含んだ磁気ネックレスによれば、このような遠赤外線作用により首を温めて血液循環を促進し、温熱療法と同じ効果が期待できる。
【００５０】
さらに、注入する元素イオンに水素原子を含めたものではＤＬＣ皮膜を均一に黒くでき、磁気健康品１に重厚感を持たせることができる。また、フッ素原子を含めたものではＤＬＣ皮膜を玉虫色にすることができ、さらに抗菌作用も期待できる。また、銀原子を含めたものでは抗菌作用を発揮させることができる。
【００５１】
なお、図４に示したプラズマイオン注入装置によらず、例えばプラズマＣＶＤ法等の他のＤＬＣ成膜法によりＤＬＣ皮膜を形成してもよい。また、チャンバー３１内の連結体１０の収容の仕方としては、吊り下げに限定されず、他の配置方法をとってもよい。
【００５２】
つぎに、本発明の磁気健康品の製造方法の第２実施形態について説明する。
【００５３】
図６（ａ）、（ｂ）は第２実施形態の製造方法を示す手順説明図である。
【００５４】
この実施形態では、隣接する永久磁石体１間のスペーサーとして非導電性素材１２を使用して連結体１０を成形するようにしている。
【００５５】
すなわち、この連結体１０は、複数の永久磁石体１を、貫通孔１ａをそろえて一列に配列し、それぞれの貫通孔１ａに１本の導電性線体２を通過させ、永久磁石体１間に所定の間隙を確保し、それらの間隙にゴムや樹脂をこぶ状に付着させてスペーサーとして形成することで成形される。
【００５６】
このようにして成形した連結体１０に対して、図４に示したプラズマイオン注入装置３０等でＤＬＣ皮膜形成処理を施した場合では、スペーサー部分の表面が非導電性素材１２で形成されているため、永久磁石体１の表面にはＤＬＣ皮膜が形成されるが、スペーサーの表面にはＤＬＣ皮膜が形成されないという利点がある。
【００５７】
ＤＬＣ皮膜形成処理後は、熱や薬品、器具によって非導電性素材１２を除去して導電性線体２を永久磁石体１より抜き取れば、ＤＬＣ皮膜が形成された磁気健康品のみを製品として取り出すことができる。また、抜き取った導電性線体２は非導電性素材１２を除去しているので再利用することができる。
【００５８】
ついで、本発明の磁気健康品の製造方法の第３実施形態について説明する。
【００５９】
図７（ａ）〜（ｃ）は第３実施形態の製造方法を示す手順説明図である。
【００６０】
この実施形態の連結体１０は、導電性線体２に設けた突起１４と、永久磁石体１の貫通孔１ａの内壁との摩擦によって、永久磁石体１の導電性線体２からの脱落を阻止する構造にしている。
【００６１】
すなわち、この実施形態では、導電性芯材に所定の間隔で導電性の突起１４を形成しておき、導電性芯材のうちの突起１４を除く部分に絶縁膜１３を被覆させて導電性線体２を構成し、その導電性線体２に永久磁石体１を貫通させてから、加熱することで、永久磁石体の貫通孔１ａに収納されている突起１４を熱を加えて膨張させ、突起１４と貫通孔１ａの内壁との摩擦で永久磁石体１が移動できないようにして、連結体１０を成形するようにしている。
【００６２】
このように突起１４を熱膨張させて永久磁石体１を係止させる構成であるため、連結体１０の成形を簡易かつ迅速に行える。
【００６３】
このようにして成形した連結体１０に対して、図４に示したプラズマイオン注入装置３０等でＤＬＣ皮膜形成処理を施すと、導電性線体２の突起１４を除く部分に絶縁膜１３を被覆させているので、永久磁石体１の表面にはＤＬＣ皮膜が形成されるが、永久磁石体１間の露出された部分にはＤＬＣ皮膜は形成されない。
【００６４】
また、このような方法でＤＬＣ皮膜を形成した後、連結体１０を冷却すれば突起１４が元の状態に収縮するので、導電性線体２を永久磁石体１より容易に抜き取ることができ、ＤＬＣ皮膜が形成された磁気健康品５のみを取り出すことができる。また、抜き取った導電性線体２から絶縁膜１３を剥がし取れば、その導電性線体２を再利用することができる。
【００６５】
この実施形態では、導電性線体２を再利用するために突起１４を除く部分に絶縁膜１３を被覆させているが、再利用の目的がない場合には、均一径の導電性線体を使用して導電性線体の熱膨張によって永久磁石体に係止するものでもよい。また、熱膨張を利用せずに、圧入により永久磁石体１を導電性線体に貫通させて永久磁石体が移動できないようにしてもよい。
【００６６】
以上に示した種々の実施形態では、永久磁石体１として球状のものを例示したが、図８（ａ）〜（ｃ）に示すように、円柱体、楕円体、円錐台の永久磁石体１を使用することもできる。
【００６７】
このような形状で永久磁石体１を構成すれば、図１に示した治具２０等を用いる際に貫通孔１ａの位置合わせが簡易に行え、連結体１０の成形を効率よく行える。なお、図８（ａ）の右図は、永久磁石体１を治具２０の凹所２１に収容した状態を示す断面図である。
【００６８】
以上の実施形態では珠部材として永久磁石体を用いたものを説明したが、着磁されていない磁石材料を珠部材として用いて、その磁石材料に上記と同様の方法でＤＬＣ皮膜を形成し、その後着磁して磁気健康品を形成するようにしてもよい。
【符号の説明】
【００６９】
１      永久磁石体（珠部材）
１ａ      貫通孔
２      導電性線体
５      磁気健康品
６      連結紐
７      磁気健康装身具
１０      連結体
１１      こぶ部
１２      非導電性素材
１３      絶縁膜
１４      突起
３０      プラズマイオン注入装置
【図１】
0005503340.tif 000002
【図２】
0005503340.tif 000003
【図３】
0005503340.tif 000004
【図４】
0005503340.tif 000005
【図５】
0005503340.tif 000006
【図６】
0005503340.tif 000007
【図７】
0005503340.tif 000008
【図８】
0005503340.tif 000009